(57)【要約】【課題】逆潮流から三相交流回路を保護するための変流器および電力方向継電器の設置台数を削減することができる電力方向継電装置を提供する。【解決手段】電力方向継電装置は、送配電線のＲ相およびＳ相にそれぞれ設置されたかつ和接続された第１および第２の変流器３1，３2と、和接続された第１および第２の変流器３1，３2から入力される電流ｉRyと計器用変圧器６から入力される送配電線の相電圧ＶR，ＶS，ＶTから求めた基準電圧（たとえばＳ相−Ｔ相の線間電圧ＶST）とに基づいて逆潮流を検出すると、送配電線のＲ相、Ｓ相およびＴ相にそれぞれ設置された遮断器２1〜２3を一括遮断する電力方向継電器４０とを具備する。【選択図】図１
2010166776.tif 000002
【特許請求の範囲】
【請求項１】
逆潮流から三相交流回路を保護するための電力方向継電装置であって、
前記三相交流回路の第１の相に設置された第１の変流器（３1）と、
前記三相交流回路の第２の相に設置された、かつ、前記第１の変流器と和接続された第２の変流器（３2）と、
前記和接続された第１および第２の変流器から入力される電流（ｉRy）と計器用変圧器（６）から入力される前記三相交流回路の電圧情報から求めた基準電圧とに基づいて逆潮流を検出すると、該三相交流回路の第１乃至第３の相にそれぞれ設置された第１乃至第３の遮断器（２1〜２3）を一括遮断する電力方向継電器（４０）と、
を具備することを特徴とする、電力方向継電装置。
【請求項２】
前記電力方向継電器が、前記基準電圧の位相を９０°進めた電圧を他の基準電圧として、前記和接続された第１および第２の変流器から入力される電流と該他の基準電圧とに基づいて逆潮流を検出することにより、無効電力方向継電器として機能することを特徴とする、請求項１記載の電力方向継電装置。
【請求項３】
逆潮流から三相交流回路を保護するための電力方向継電装置であって、
前記三相交流回路の第１の相に設置された第１の変流器（３1）と、
前記三相交流回路の第２の相に設置された、かつ、前記第１の変流器と和接続された第２の変流器（３2）と、
前記三相交流回路の第３の相に設置された、かつ、前記第２の変流器と和接続された第３の変流器（３3）と、
前記和接続された第１および第２の変流器から入力される第１の電流（ｉRy1）と計器用変圧器（６）から入力される前記三相交流回路の電圧情報から求めた第１の基準電圧とに基づいて逆潮流を検出すると、該三相交流回路の第１乃至第３の相にそれぞれ設置された第１乃至第３の遮断器（２1〜２3）を一括遮断する第１の電力方向継電器（４０1）と、
前記和接続された第２および第３の変流器から入力される第２の電流（ｉRy2）と前記計器用変圧器から入力される前記三相交流回路の電圧情報から求めた第２の基準電圧とに基づいて逆潮流を検出すると、前記第１乃至第３の遮断器を一括遮断する第２の電力方向継電器（４０2）と、
を具備することを特徴とする、電力方向継電装置。
【請求項４】
前記第１の電力方向継電器が、前記第１の基準電圧の位相を９０°進めた電圧を第３の基準電圧として、前記和接続された第１および第２の変流器から入力される第１の電流と該第３の基準電圧とに基づいて逆潮流を検出することにより、無効電力方向継電器として機能することを特徴とする、請求項４記載の電力方向継電装置。
【請求項５】
前記第２の電力方向継電器が、前記第２の基準電圧の位相を９０°進めた電圧を第４の基準電圧として、前記和接続された第２および第３の変流器から入力される第２の電流と該第４の基準電圧とに基づいて逆潮流を検出することにより、無効電力方向継電器として機能することを特徴とする、請求項３または４記載の電力方向継電装置。
【発明の詳細な説明】
【技術分野】
【０００１】
本発明は、電力方向継電装置に関し、特に、逆潮流から三相交流回路を保護するのに好適な電力方向継電装置に関する。
【背景技術】
【０００２】
従来、三相交流回路では、逆潮流から三相交流回路を保護するために、電力方向継電器（ＤＰ）が使用されている（たとえば、下記の特許文献１参照）。
【０００３】
たとえば、図７に示すように、母線の下流に設置された発電設備Ｇからの逆潮流から送配電線を保護するために、第１乃至第３の電力方向継電器４０1〜４０3を用いて、第１の電力方向継電器４０1には、送配電線のＲ相に設置された第１の変流器（ＣＴ）３1からＲ相の電流を入力するとともに母線に設置された計器用変圧器（ＰＴ）６からＲ相の相電圧ＶRおよびＴ相の相電圧ＶTを入力し、また、第２の電力方向継電器４０2には、送配電線のＳ相に設置された第２の変流器３2からＳ相の電流を入力するとともに計器用変圧器６からＲ相の相電圧ＶRおよびＳ相の相電圧ＶSを入力し、さらに、第３の電力方向継電器４０3には、送配電線のＴ相に設置された第３の変流器３3からＴ相の電流を入力するとともに計器用変圧器６からＳ相の相電圧ＶSおよびＴ相の相電圧ＶTを入力して、送配電線のＲ相、Ｓ相およびＴ相に発生した逆潮流を以下のようにして検出すると、送配電線のＲ相、Ｓ相およびＴ相にそれぞれ設置された第１乃至第３の遮断器２1〜２3を第１乃至第３の電力方向継電器４０1〜４０3で一括遮断している。
送配電線に逆潮流が発生すると、図７に破線の矢印で示すように、送配電線のＲ相、Ｓ相およびＴ相に母線と反対方向（以下、この方向を「＋方向」とする。）に有効電流ｉRP，ｉSP，ｉTPが位相差１２０°でそれぞれ流れる。
したがって、第１の電力方向継電器４０1は、計器用変圧器６から入力されるＲ相の相電圧ＶRおよびＴ相の相電圧ＶTより算出したＲ相−Ｔ相の線間電圧ＶRTを基準電圧として用いて、第１の変流器３1から入力されるＲ相の有効電流ｉRPと基準電圧（線間電圧ＶRT）とに基づいて動作して、Ｒ相の有効電流ｉRPが図８に示す動作範囲に入ると第１乃至第３の遮断器２1〜２3を一括遮断する。
第２の電力方向継電器４０2は、計器用変圧器６から入力されるＲ相の相電圧ＶRおよびＳ相の相電圧ＶSより算出したＳ相−Ｒ相の線間電圧ＶSRを基準電圧として用いて、第２の変流器３2から入力されるＳ相の有効電流ｉSPと基準電圧（線間電圧ＶSR）とに基づいて動作して、Ｓ相の有効電流ｉSPが動作範囲（図８参照）に入ると第１乃至第３の遮断器２1〜２3を一括遮断する。
第３の電力方向継電器４０3は、計器用変圧器６から入力されるＳ相の相電圧ＶSおよびＴ相の相電圧ＶTより算出したＴ相−Ｓ相の線間電圧ＶTSを基準電圧として用いて、第３の変流器３3から入力されるＴ相の有効電流ｉTPと基準電圧（線間電圧ＶTS）とに基づいて動作して、Ｔ相の電流ｉTPが動作範囲（図８参照）に入ると第１乃至第３の遮断器２1〜２3を一括遮断する。
【０００４】
なお、図７に示した第１乃至第３の電力方向継電器４０1〜４０3では、送配電線のＲ相、Ｓ相およびＴ相に発生する逆潮流を検出するための基準電圧として線間電圧ＶRT，ＶSR，ＶTSを用いたが、単相電圧を用いる電力方向継電器もある。
また、基準電圧として線間電圧ＶRT，ＶSR，ＶTSを用いる場合の最大感度角は３０°とし、基準電圧として単相電圧を用いる場合の最大感度角は０°とする。
さらに、３台の電力方向継電器を用いる代わりに、電力方向継電器を１台だけ用いて送配電線のＲ相、Ｓ相およびＴ相のうちの１相のみについて逆潮流を検出することもなされている。
【特許文献１】特開昭５４−６７６５８号公報
【発明の開示】
【発明が解決しようとする課題】
【０００５】
しかしながら、送配電線につき変流器および電力方向継電器を３組設置しているため、変流器および電力方向継電器の設置台数を少なくして設備コストの削減を図りたいという要請がある。また、電力方向継電器を１台だけ用いる場合には、この電力方向継電器が故障または点検によって使用できなくなったときには逆潮流を検出することができない。
【０００６】
本発明の目的は、逆潮流から三相交流回路を保護するための変流器および電力方向継電器の設置台数を削減することができる電力方向継電装置を提供することにある。
【課題を解決するための手段】
【０００７】
本発明の電力方向継電装置は、逆潮流から三相交流回路を保護するための電力方向継電装置であって、前記三相交流回路の第１の相に設置された第１の変流器（３1）と、前記三相交流回路の第２の相に設置された、かつ、前記第１の変流器と和接続された第２の変流器（３2）と、前記和接続された第１および第２の変流器から入力される電流（ｉRy）と計器用変圧器（６）から入力される前記三相交流回路の電圧情報から求めた基準電圧とに基づいて逆潮流を検出すると、該三相交流回路の第１乃至第３の相にそれぞれ設置された第１乃至第３の遮断器（２1〜２3）を一括遮断する電力方向継電器（４０）とを具備することを特徴とする。
ここで、前記電力方向継電器が、前記基準電圧の位相を９０°進めた電圧を他の基準電圧として、前記和接続された第１および第２の変流器から入力される電流と該他の基準電圧とに基づいて逆潮流を検出することにより、無効電力方向継電器として機能してもよい。
また、本発明の電力方向継電装置は、逆潮流から三相交流回路を保護するための電力方向継電装置であって、前記三相交流回路の第１の相に設置された第１の変流器（３1）と、前記三相交流回路の第２の相に設置された、かつ、前記第１の変流器と和接続された第２の変流器（３2）と、前記三相交流回路の第３の相に設置された、かつ、前記第２の変流器と和接続された第３の変流器（３3）と、前記和接続された第１および第２の変流器から入力される第１の電流（ｉRy1）と計器用変圧器（６）から入力される前記三相交流回路の電圧情報から求めた第１の基準電圧とに基づいて逆潮流を検出すると、該三相交流回路の第１乃至第３の相にそれぞれ設置された第１乃至第３の遮断器（２1〜２3）を一括遮断する第１の電力方向継電器（４０1）と、前記和接続された第２および第３の変流器から入力される第２の電流（ｉRy2）と前記計器用変圧器から入力される前記三相交流回路の電圧情報から求めた第２の基準電圧とに基づいて逆潮流を検出すると、前記第１乃至第３の遮断器を一括遮断する第２の電力方向継電器（４０2）とを具備することを特徴とする。
ここで、前記第１の電力方向継電器が、前記第１の基準電圧の位相を９０°進めた電圧を第３の基準電圧として、前記和接続された第１および第２の変流器から入力される第１の電流と該第３の基準電圧とに基づいて逆潮流を検出することにより、無効電力方向継電器として機能してもよい。
前記第２の電力方向継電器が、前記第２の基準電圧の位相を９０°進めた電圧を第４の基準電圧として、前記和接続された第２および第３の変流器から入力される第２の電流と該第４の基準電圧とに基づいて逆潮流を検出することにより、無効電力方向継電器として機能してもよい。
【発明の効果】
【０００８】
本発明の電力方向継電装置は、以下に示す効果を奏する。
（１）和接続された２つの変流器を使用することにより、逆潮流から三相交流回路を保護するための変流器および電力方向継電器の設置台数を削減して、設備コストの削減を図ることができる。
（２）基準電圧の位相を９０°進めた他の基準電圧を使用することにより、電力方向継電器を無効電力方向継電器として機能させることができる。
（３）和接続された２つの変流器および電力方向継電器を２組使用することにより、１台の電力方向継電器が故障または点検によって使用できなくなっても、他の１台の電力方向継電器でバックアップして、逆潮流から三相交流回路を保護することができる。
（４）和接続された変流器および電力方向継電器を２組使用することにより、２台の電力方向継電器を両方とも無効電力方向継電器として機能させることもできるし、１台の電力方向継電器を電力方向継電器として機能させて他の１台の電力方向継電器を無効電力方向継電器として機能させることもできる。
【発明を実施するための最良の形態】
【０００９】
上記の目的を、三相交流回路の第１の相に設置された第１の変流器と三相交流回路の第２の相に設置された第２の変流器とを和接続し、電力方向継電器が、和接続された第１および第２の変流器から入力される電流と計器用変圧器から入力される三相交流回路の電圧情報から求めた基準電圧とに基づいて逆潮流を検出すると、三相交流回路の第１乃至第３の相にそれぞれ設置された第１乃至第３の遮断器を一括遮断することにより実現した。
【実施例１】
【００１０】
以下、本発明の電力方向継電装置の実施例について図面を参照して説明する。
本発明の第１の実施例による電力方向継電装置は、図１に示すように、送配電線のＲ相に設置された第１の変流器３1と、送配電線のＳ相に設置された、かつ、第１の変流器３1と和接続された第２の変流器３2と、母線に設置された計器用変圧器６と、和接続された第１および第２の変流器３1，３2から入力される電流ｉRyと計器用変圧器６から入力される電圧情報（Ｒ相、Ｓ相およびＴ相の相電圧ＶR，ＶS，ＶT）から求めた基準電圧とに基づいて逆潮流を検出すると、送配電線のＲ相、Ｓ相およびＴ相にそれぞれ設置された第１乃至第３の遮断器２1〜２3を一括遮断する電力方向継電器４０とを具備する。
【００１１】
送配電線に逆潮流が発生すると、図１に破線の矢印で示すように送配電線のＲ相、Ｓ相およびＴ相に有効電流ｉRP，ｉSP，ｉTPが＋方向にそれぞれ流れる。
このとき、送配電線のＲ相の有効電流ｉRPとＳ相の有効電流ｉSPとは図２（ａ）に示すように１２０°の位相差で第１および第２の変流器３1，３2をそれぞれ流れるため、和接続された第１および第２の変流器３1，３2から電力方向継電器４０に入力される電流ｉRyに含まれる有効電流ｉRyPは、図１に実線の太矢印で示すように、Ｒ相の有効電流ｉRPとＳ相の有効電流ｉSPとのベクトル和となり、有効電流ｉRyPの振幅はＲ相の有効電流ｉRP（Ｓ相の有効電流ｉSP）の振幅となる（図２（ａ）参照）。
ｉRyP＝ｉRP＋ｉSP
｜ｉRyP｜＝｜ｉRP＋ｉSP｜＝｜ｉRP｜＝｜ｉSP｜
電力方向継電器４０は、計器用変圧器６から入力されるＲ相、Ｓ相およびＴ相の相電圧ＶR，ＶS，ＶTより求めたＳ相−Ｔ相の線間電圧ＶSTを基準電圧として用いて、和接続された第１および第２の変流器３1，３2から入力される電流ｉRyと基準電圧（線間電圧ＶST）とに基づいて動作して（最大感度角＝３０°）、電流ｉRyに含まれる有効電流ｉRyPが図２（ｂ）に破線の矢印で示すように動作範囲に入ると第１乃至第３の遮断器２1〜２3を一括遮断する。
【００１２】
なお、Ｓ相−Ｔ相の線間電圧ＶSTを基準電圧として用いたが、Ｒ相の相電圧ＶRの位相を９０°遅らせたものを用いてもよい。
【００１３】
また、送配電線のＲ相およびＳ相に第１および第２の変流器３1，３2をそれぞれ設置して第１および第２の変流器３1，３2を和接続したが、送配電線のＳ相およびＴ相に第１および第２の変流器３1，３2をそれぞれ設置して第１および第２の変流器３1，３2を和接続してもよいし、送配電線のＴ相およびＲ相に第１および第２の変流器３1，３2をそれぞれ設置して第１および第２の変流器３1，３2を和接続してもよい。
ただし、第１および第２の変流器３1，３2を設置する送配電線の相の組合せ（以下、「ＣＴ結線」と称する。）によって、電力方向継電器４０は、和接続された第１および第２の変流器３1，３2から入力される電流ｉRyと表１に示す基準電圧とに基づいて動作する。
【表１】
2010166776.tif 000003
【００１４】
また、電力方向継電器４０を以下のように動作させることにより、電力方向継電器４０を無効電力方向継電器（ＤＱ）として機能させることができる。
【００１５】
送配電線に逆潮流が発生すると、送配電線のＲ相、Ｓ相およびＴ相に無効電流ｉRQ，ｉSQ，ｉTQが＋方向にそれぞれ流れる。
このとき、送配電線のＲ相の無効電流ｉRQとＳ相の無効電流ｉSQとは図３（ａ）に示すように１２０°の位相差で第１および第２の変流器３1，３2をそれぞれ流れるため、和接続された第１および第２の変流器３1，３2から電力方向継電器４０に入力される電流ｉRyに含まれる無効電流ｉRyQはＲ相の無効電流ｉRQとＳ相の無効電流ｉSQとのベクトル和となり、無効電流ｉRyQの振幅はＲ相の無効電流ｉRQ（Ｓ相の無効電流ｉSQ）の振幅となる（図３（ａ）参照）。
ｉRyQ＝ｉRQ＋ｉSQ
｜ｉRyQ｜＝｜ｉRQ＋ｉSQ｜＝｜ｉRQ｜＝｜ｉSQ｜
電力方向継電器４０は、計器用変圧器６から入力されるＲ相の相電圧ＶRを基準電圧として用いて、和接続された第１および第２の変流器３1，３2から入力される電流ｉRyと基準電圧（Ｒ相の相電圧ＶR）とに基づいて動作して（最大感度角＝３０°）、電流ｉRyに含まれる無効電流ｉRyQが図３（ｂ）に破線の矢印で示すように動作範囲に入ると第１乃至第３の遮断器２1〜２3を一括遮断する。
【００１６】
なお、Ｒ相の相電圧ＶRを基準電圧として用いたが、Ｓ相−Ｔ相の線間電圧ＶSTの位相を９０°進めたものを用いてもよい。
【実施例２】
【００１７】
次に、本発明の第２の実施例による電力方向継電装置について、図４および図５を参照して説明する。
本実施例による電力方向継電装置は、図４に示すように、送配電線のＲ相に設置された第１の変流器３1と、送配電線のＳ相に設置された、かつ、第１の変流器３1と和接続された第２の変流器３2と、送配電線のＴ相に設置された、かつ、第２の変流器３2と和接続された第３の変流器３3と、母線に設置された計器用変圧器６と、和接続された第１および第２の変流器３1，３2から入力される第１の電流ｉRy1と計器用変圧器６から入力される電圧情報（Ｒ相、Ｓ相およびＴ相の相電圧ＶR，ＶS，ＶT）から求めた第１の基準電圧とに基づいて送配電線の逆潮流を検出すると、送配電線のＲ相、Ｓ相およびＴ相にそれぞれ設置された第１乃至第３の遮断器２1〜２3を一括遮断する第１の電力方向継電器４０1と、和接続された第２および第３の変流器３2，３3から入力される第２の電流ｉRy2と計器用変圧器６から入力される電圧情報から求めた第２の基準電圧とに基づいて送配電線の逆潮流を検出すると、第１乃至第３の遮断器２1〜２3を一括遮断する第２の電力方向継電器４０2とを具備する。
【００１８】
送配電線に逆潮流が発生すると、図４に破線の矢印で示すように送配電線のＲ相、Ｓ相およびＴ相に有効電流ｉRP，ｉSP，ｉTPが＋方向にそれぞれ流れる。
このとき、送配電線のＲ相の有効電流ｉRPとＳ相の有効電流ｉSPとは図５（ａ）に示すように１２０°の位相差で第１および第２の変流器３1，３2をそれぞれ流れるため、和接続された第１および第２の変流器３1，３2から第１の電力方向継電器４０1に入力される第１の電流ｉRy1に含まれる第１の有効電流ｉRyP1は、図４に実線の太矢印で示すように、Ｒ相の有効電流ｉRPとＳ相の有効電流ｉSPとのベクトル和となり、第１の有効電流ｉRyP1の振幅はＲ相の有効電流ｉRP（Ｓ相の有効電流ｉSP）の振幅となる（図５（ａ）参照）。
ｉRyP1＝ｉRP＋ｉSP
｜ｉRyP1｜＝｜ｉRP＋ｉSP｜＝｜ｉRP｜＝｜ｉSP｜
第１の電力方向継電器４０1は、計器用変圧器６から入力されるＲ相、Ｓ相およびＴ相の相電圧ＶR，ＶS，ＶTより求めたＳ相−Ｔ相の線間電圧ＶSTを基準電圧として用いて、和接続された第１および第２の変流器３1，３2から入力される第１の電流ｉRy1に含まれる第１の有効電流ｉRyP1と基準電圧（線間電圧ＶST）とに基づいて動作して（最大感度角＝３０°）、第１の有効電流ｉRyP1が図５（ｂ）に破線の矢印で示すように動作範囲に入ると第１乃至第３の遮断器２1〜２3を一括遮断する。
同様に、送配電線のＳ相の有効電流ｉSPとＴ相の有効電流ｉSTとは図５（ｃ）に示すように１２０°の位相差で第２および第３の変流器３2，３3をそれぞれ流れるため、和接続された第２および第３の変流器３2，３3から第２の電力方向継電器４０2に入力される第２の電流ｉRy2に含まれる第２の有効電流ｉRyP2は、図４に破線の太矢印で示すように、Ｓ相の有効電流ｉSPとＴ相の有効電流ｉSTとのベクトル和となり、第２の有効電流ｉRyP2の振幅はＳ相の有効電流ｉSP（Ｔ相の有効電流ｉST）の振幅となる（図５（ｃ）参照）。
ｉRyP2＝ｉSP＋ｉTP
｜ｉRyP2｜＝｜ｉSP＋ｉTP｜＝｜ｉSP｜＝｜ｉTP｜
第２の電力方向継電器４０2は、計器用変圧器６から入力されるＲ相、Ｓ相およびＴ相の相電圧ＶR，ＶS，ＶTより求めたＴ相−Ｒ相の線間電圧ＶTRを基準電圧として用いて、和接続された第２および第３の変流器３2，３3から入力される第２の電流ｉRy2に含まれる第２の有効電流ｉRyP2と基準電圧（線間電圧ＶTR）とに基づいて動作して（最大感度角＝３０°）、第２の有効電流ｉRyP2が図５（ｄ）に破線の矢印で示すように動作範囲に入ると第１乃至第３の遮断器２1〜２3を一括遮断する。
【００１９】
なお、送配電線のＲ相およびＳ相に設置された第１および第２の変流器３1，３2を和接続するとともに、送配電線のＳ相およびＴ相に設置された第２および第３の変流器３2，３3を和接続したが、和接続する２つの変流器は他の組合せでもよい。
【００２０】
ただし、ＣＴ結線によって、第１の電力方向継電器４０1は、和接続された第１および第２の変流器３1，３2から入力される第１の電流ｉRy1と表１に示した基準電圧とに基づいて動作し、第２の電力方向継電器４０2は、和接続された第２および第３の変流器３2，３3から入力される第２の電流ｉRy2と表１に示した基準電圧とに基づいて動作する。
【００２１】
また、第１および第２の電力方向継電器４０1，４０2を以下のように動作させることにより、第１および第２の電力方向継電器４０1，４０2を無効電力方向継電器（ＤＱ）として機能させることができる。
【００２２】
送配電線に逆潮流が発生すると、送配電線のＲ相、Ｓ相およびＴ相に無効電流ｉRQ，ｉSQ，ｉTQが＋方向にそれぞれ流れる。
このとき、送配電線のＲ相の無効電流ｉRQとＳ相の無効電流ｉSQとは図６（ａ）に示すように１２０°の位相差で第１および第２の変流器３1，３2をそれぞれ流れるため、和接続された第１および第２の変流器３1，３2から第１の電力方向継電器４０1に入力される第１の電流ｉRy1に含まれる第１の無効電流ｉRyQ1はＲ相の無効電流ｉRQとＳ相の無効電流ｉSQとのベクトル和となり、第１の無効電流ｉRyQ1の振幅はＲ相の無効電流ｉRQ（Ｓ相の無効電流ｉSQ）の振幅となる（図６（ａ）参照）。
ｉRyQ1＝ｉRQ＋ｉSQ
｜ｉRyQ1｜＝｜ｉRQ＋ｉSQ｜＝｜ｉRQ｜＝｜ｉSQ｜
第１の電力方向継電器４０1は、計器用変圧器６から入力されるＲ相の相電圧ＶRを基準電圧として用いて、和接続された第１および第２の変流器３1，３2から入力される第１の電流ｉRy1に含まれる第１の無効電流ｉRyQ1と基準電圧（Ｒ相の相電圧ＶR）とに基づいて動作して（最大感度角＝３０°）、第１の無効電流ｉRyQ1が図６（ｂ）に破線の矢印で示すように動作範囲に入ると第１乃至第３の遮断器２1〜２3を一括遮断する。
同様に、送配電線のＳ相の無効電流ｉSQとＴ相の無効電流ｉSTとは図６（ｃ）に示すように１２０°の位相差で第２および第３の変流器３2，３3をそれぞれ流れるため、和接続された第２および第３の変流器３2，３3から第２の電力方向継電器４０2に入力される第２の電流ｉRy2に含まれる第２の無効電流ｉRyQ2はＳ相の無効電流ｉSQとＴ相の無効電流ｉSTとのベクトル和となり、第２の無効電流ｉRyQ2の振幅はＳ相の無効電流ｉSQ（Ｔ相の無効電流ｉST）の振幅となる（図６（ｃ）参照）。
ｉRyQ2＝ｉSQ＋ｉTQ
｜ｉRyQ2｜＝｜ｉSQ＋ｉTQ｜＝｜ｉSQ｜＝｜ｉTQ｜
第２の電力方向継電器４０2は、計器用変圧器６から入力されるＳ相の相電圧ＶSを基準電圧として用いて、和接続された第２および第３の変流器３2，３3から入力される第２の電流ｉRy2に含まれる第２の無効電流ｉRyQ2と基準電圧（Ｓ相の相電圧ＶS）とに基づいて動作して（最大感度角＝３０°）、第２の無効電流ｉRyQ2が図６（ｄ）に破線の矢印で示すように動作範囲に入ると第１乃至第３の遮断器２1〜２3を一括遮断する。
【００２３】
なお、第１の電力方向継電器４０1ではＲ相の相電圧ＶRを基準電圧として用いたが、Ｓ相−Ｔ相の線間電圧ＶSTの位相を９０°進めたものを用いてもよい。同様に、第２の電力方向継電器４０2ではＳ相の相電圧ＶSを基準電圧として用いたが、Ｔ相−Ｒ相の線間電圧ＶTRの位相を９０°進めたものを用いてもよい。
【００２４】
上述した第２の実施例による電力方向継電装置では、送配電線につき和接続された変流器および電力方向継電器を２組使用することにより、たとえば第１の電力方向継電器４０1が故障または点検によって使用できなくなっても、第２の電力方向継電器４０2を動作させることにより第２の電力方向継電器４０2でバックアップすることができる。また、たとえば第１の電力方向継電器４０1を電力方向継電器として使用し、第２の電力方向継電器４０2を無効電力方向継電器として使用することもできる。
【００２５】
以上では、送配電線において使用される電力方向継電器との組合せで和接続された変流器について説明したが、和接続された変流器は、送配電線以外の三相交流回路において使用されている電力方向継電器と組み合わせても、同様の効果を得ることができる。
【図面の簡単な説明】
【００２６】
【図１】本発明の第１の実施例による電力方向継電装置について説明するための図である。
【図２】図１に示した電力方向継電器４０の動作について説明するための図である。
【図３】無効電力継電器として機能させるときの図１に示した電力方向継電器４０の動作について説明するための図である。
【図４】本発明の第２の実施例による電力方向継電装置について説明するための図である。
【図５】図４に示した第１および第２の電力方向継電器４０1，４０2の動作について説明するための図である。
【図６】無効電力継電器として機能させるときの図４に示した第１および第２の電力方向継電器４０1，４０2の動作について説明するための図である。
【図７】従来の電力方向継電器について説明するための図である。
【図８】図７に示した従来の第１の電力方向継電器４０1の動作について説明するための図である。
【符号の説明】
【００２７】
２1〜２3  第１乃至第３の遮断器
３1〜３3  第１乃至第３の変流器
６  計器用変圧器
４０  電力方向継電器
４０1〜４０3  第１乃至第３の電力方向継電器
ｉRP，ｉSP，ｉTP，ｉRyP  有効電流
ｉRQ，ｉSQ，ｉTQ，ｉRyQ  無効電流
ｉRy  電流
ｉRy1，ｉRy2  第１および第２の電流
ｉRyP1，ｉRyP2  第１および第２の有効電流
ｉRyQ1，ｉRyQ2  第１および第２の無効電流
ＶR，ＶS，ＶT  相電圧
ＶRS，ＶST，ＶTR  線間電圧
Ｇ  発電設備
Ｌ  負荷
【図１】
2010166776.tif 000004
【図２】
2010166776.tif 000005
【図３】
2010166776.tif 000006
【図４】
2010166776.tif 000007
【図５】
2010166776.tif 000008
【図６】
2010166776.tif 000009
【図７】
2010166776.tif 000010
【図８】
2010166776.tif 000011